(57)【特許請求の範囲】
【請求項１】
ヘッドバンドの支持腕に対向する一方及び他方のハウジングが対向方向に回動自在に設けられたヘッドホンにおいて、
前記一方及び他方のハウジングの前記支持腕の回動軸近傍に外面から略垂直方向に所定弾性圧で前記支持腕に頭部が当接する押圧片を設けると共に該押圧片の頭部に段差部を設け、前記押圧片の段差部が前記支持腕に当接しているときに前記一方及び他方のハウジングの揺動を規制するようにしたことを特徴とするヘッドホン。
【請求項２】
ヘッドバンドの支持腕に対向する一方及び他方のハウジングが対向方向に回動自在に設けられたヘッドホンの一方及び他方のハウジングを載置台に載置するようにしたヘッドホン載置装置において、
前記載置台に前記ヘッドホンの一方及び他方のハウジングの位置決め用窪みを設けると共に前記位置決め用窪み内に案内リブを設け、前記ヘッドホンの一方及び他方のハウジングに前記案内リブに係合する案内溝を設けると共に前記一方及び他方のハウジングの前記支持腕の回動軸近傍に外面から略垂直方向に所定弾性圧で前記支持腕に頭部が当接する押圧片を設け、該押圧片の頭部に段差部を設け、前記押圧片の段差部が前記支持腕に当接しているときに前記一方及び他方のハウジングを前記載置台の位置決め用窪みに載置するようにしたことを特徴とするヘッドホン載置装置。
【発明の詳細な説明】
【技術分野】
【０００１】
本発明は、例えば２次電池を内蔵したワイヤレス式のヘッドホンに適用して好適なヘッドホン及び例えば２次電池を内蔵したワイヤレス式のヘッドホンに適用して好適なヘッドホンのハウジングを専用の充電台等の載置台に載置して、この２次電池の充電を行うようにした充電装置に適用して好適なヘッドホン載置装置に関する。
【背景技術】
【０００２】
従来、２次電池を内蔵したワイヤレス式のヘッドホンを専用の充電台に載置して、この２次電池の充電を行なうようにしたものとして、特許文献１に受信装置を兼ねたヘッドホンのヘッドバンドの中央部に充電用コネクタを設けると共に送信装置を兼ねた専用の充電台上面に充電用端子を設け、この充電台上面にこのヘッドホンのヘッドバンドの中央部を載置したときに、この充電用コネクタと充電用端子とが接続され、この２次電池を充電するようにしたものが開示されている。
【０００３】
また、特許文献２には、受信装置を兼ねたヘッドホンのハウジングに充電用コネクタを設けると共に送信装置を兼ねた専用の充電台の受け板の受け面に充電用部材を設け、この受け面にヘッドホンのハウジングを載置したときに、この充電用コネクタと充電用部材とが接続され、この２次電池を充電するようにしたものが開示されている。
【特許文献１】特許第２７７０３８９号公報
【特許文献２】特開２００４−１１２８５８号公報
【発明の開示】
【発明が解決しようとする課題】
【０００４】
ところで、上述２次電池を内蔵したワイヤレス式のヘッドホンは専用の充電台の所定位置に容易に載置できることが望ましく、またヘッドホン側の充電用コネクタの複数の接点と充電台側の充電用コネクタの複数の接点とが確実安定に接続できることが望ましい。
【０００５】
また、一般にヘッドホンのヘッドバンドの支持腕に対向する一方及び他方のハウジングが対向方向に回動自在としたときには、この一方及び他方のハウジングはこの支持腕に対して揺動するので、この一方及び他方のハウジングの例えば充電台等の載置台の位置決め部に位置決めするのに比較的困難である不都合があった。
【０００６】
本発明は、斯る点に鑑み例えば２次電池を内蔵したワイヤレス式のヘッドホンのハウジングを例えば専用の充電台等の載置台の所定位置に容易に載置できるようにすることを目的とする。
【課題を解決するための手段】
【０００７】
本発明ヘッドホンは、ヘッドバンドの支持腕に対向する一方及び他方のハウジングが対向方向に回動自在に設けられたヘッドホンにおいて、この一方及び他方のハウジングのこの支持腕の回動軸近傍に外面から略垂直方向に所定弾性圧でこの支持腕に頭部が当接する押圧片を設けると共にこの押圧片の頭部に段差部を設け、この押圧片の段差部がこの支持腕に当接しているときにこの一方及び他方のハウジングの揺動を規制するようにしたものである。
【０００８】
本発明ヘッドホン載置装置は、ヘッドバンドの支持腕に対向する一方及び他方のハウジングが対向方向に回動自在に設けられたヘッドホンの一方及び他方のハウジングを載置台に載置するようにしたヘッドホン載置装置において、この載置台にこのヘッドホンの一方及び他方のハウジングの位置決め用窪みを設けると共にこの位置決め用窪み内に案内リブを設け、このヘッドホンの一方及び他方のハウジングにこの案内リブに係合する案内溝を設けると共にこの一方及び他方のハウジングのこの支持腕の回動軸近傍に外面から略垂直方向に所定弾性圧でこの支持腕に頭部が当接する押圧片を設け、この押圧片の頭部に段差部を設け、この押圧片の段差部がこの支持腕に当接しているときにこの一方及び他方のハウジングをこの載置台の位置決め用窪みに載置するようにしたものである。
【発明の効果】
【０００９】
本発明によれば、押圧片の段差部がこの支持腕に当接しているときにこの一方及び他方のハウジングの揺動を規制するようにしているので、例えば２次電池を内蔵したワイヤレス式のヘッドホンのハウジングを例えば専用の充電台等の載置台の所定位置に容易に載置できる。
【発明を実施するための最良の形態】
【００１０】
以下、図面を参照して本発明ヘッドホン及びヘッドホン載置装置を実施するための最良の形態の例につき説明する。
【００１１】
本例のヘッドホン載置装置は、図１に示す如くワイヤレス式のヘッドホン１と、載置台としてのこのヘッドホン１に内蔵した２次電池を充電する充電台２とから構成される。
【００１２】
この本例ヘッドホン１はスピーカを内蔵する一対即ち左用及び右用の偏平な皿状をなすハウジング１Ｌ及び１Ｒを備えている。之等ハウジング１Ｌ及び１Ｒは夫々側方から見ると略円形であって、その耳と接触する側の部分にパッド３が取り付けられている。またこの一対のハウジング１Ｌ及び１Ｒはヘッドバンド４によって互いに連結されている。このヘッドバンド４の両端は二股に分かれた支持腕５Ｌ及び５Ｒとなっており、この支持腕５Ｌ及び５Ｒに対向するハウジング１Ｌ及び１Ｒが人間の両耳に良好に装着できるように夫々対向方向に支点６Ｌ及び６Ｒを回動軸とし回動自在に設けられている。
【００１３】
また、このヘッドバンド４の下側に頭頂部を押える押えバンド７が配されている。この押えバンド７はその両端から延出された伸縮自在な連結ベルトによってヘッドバンド４の両端側の部分に連結されている。
【００１４】
本例による充電台２は図１に示す如く、所定厚さの円盤状をなし、この円盤状の充電台２上の所定位置に略平行して、ヘッドホン１の一対のハウジング１Ｌ及び１Ｒのヘッドバンド４側とは反対側の一部を収納するハウジング１Ｌ及び１Ｒの位置決め用窪み２Ｌ及び２Ｒを設ける。この充電台２の筐体はプラスチック等の合成樹脂で射出成形により成形したものである。
【００１５】
本例においては、このハウジングの位置決め用窪み２Ｌ及び２Ｒ内に、このヘッドホン１のハウジング１Ｌ及び１Ｒを底部方向に導く所定形状の案内リブ８を夫々設ける。また、本例においては、ハウジングの位置決め用窪み２Ｌの底部中央にハウジング１Ｌの挿抜方向即ち上下方向に移動する凸形状の充電用コネクタ９を設ける。この凸形状の充電用コネクタ９はプラスチック等の所定高さ及び幅の板状絶縁体の側面に例えば６個の金属板バネより成る接点９ａ１、９ａ２・・・９ａ６を設けたものである。
【００１６】
また、この窪み２Ｌ内のこの凸形状の充電用コネクタ９とは所定の距離離れた位置にハウジング１Ｌの挿抜方向即ち上下方向に移動する合成樹脂等の所定高さの板体より成る押し子１０を設ける。
【００１７】
本例においては、この凸形状の充電用コネクタ９とこの押し子１０とをシーソー機構構成とする。即ち、図２Ａ，Ｂ及び図３Ａ，Ｂに示す如く、凸形状の充電用コネクタ９の下端中央部を支点としてシーソーを構成するシーソー板１１の一端に当接すると共にこの充電用コネクタ９の下端をコイルバネ１２で下方に付勢し、この押し子１０の下端を、このシーソー板１１の他端に当接する。
【００１８】
この場合、通常時は充電用コネクタ９は下方に付勢されているが、この押し子１０の上端を下方に押圧したときには、図３Ａ，Ｂに示す如くこの充電用コネクタ９は挿抜方向の一方向、即ち上方向に移動し、この窪み２Ｌの底部より突出する。
【００１９】
また、本例においては、ヘッドホン１のハウジング１Ｌ及び１Ｒの外周部に充電台２の窪み２Ｌ及び２Ｒの案内リブ８に係合し、このハウジング１Ｌ及び１Ｒを夫々の窪み２Ｌ及び２Ｒの底部に導く所定形状の案内溝１３を設ける。
【００２０】
また、本例においては、ヘッドホン１のハウジング１Ｌの下部中央に図１，図２，図３に示す如く、充電台２の凸形状の充電用コネクタ９と係合する凹形状の充電用コネクタ１４を設ける。この凹形状の充電用コネクタ１４は、ヘッドホン１の合成樹脂等より成るハウジング１Ｌの下部中央より上方に形成した直方体形状凹部側面に凸形状の充電用コネクタ９の接点９ａ１、９ａ２・・・９ａ６に対向し、例えば６個の接点１４ａ１、１４ａ２・・・１４ａ６を設けたものである。
【００２１】
この場合、本例においては、図４に示す如くヘッドホン１のハウジング１Ｌ及び１Ｒをこの充電台２の位置決め用窪み２Ｌ及び２Ｒに案内リブ８と案内溝１３とにより案内されて、ヘッドホン１のハウジング１Ｌ及び１Ｒを充電台２の位置決め用窪み２Ｌ及び２Ｒに載置するときに、ヘッドホン１のハウジング１Ｌにより押し子１０が押され、凸形状の充電用コネクタ９を挿抜方向の一方向即ち上方向に移動し、ヘッドホン１のハウジング１Ｌの凹形状の充電用コネクタ１４に係合接続する。
【００２２】
ところで、一般に上述のヘッドホン１の如くヘッドバンド４の支持腕５Ｌ及び５Ｒに対向する左用ハウジング１Ｌ及び右用ハウジング１Ｒが夫々対向方向に支点６Ｌ及び６Ｒを回動軸として回動自在としたときには、このハウジング１Ｌ及び１Ｒはヘッドバンド４の支持腕５Ｌ及び５Ｒに対して揺動するので、このハウジング１Ｌ及び１Ｒを充電台２の位置決め用窪み２Ｌ及び２Ｒに位置決めするのが比較的困難である。
【００２３】
そこで、本例においては、このハウジング１Ｌ及び１Ｒを位置決め用窪み２Ｌ及び２Ｒに載置するときにこのハウジング１Ｌ及び１Ｒの揺動を規制するスタビライザを設ける。
【００２４】
今、ヘッドホン１のハウジング１Ｌ及び１Ｒが充電台２の位置決め用窪み２Ｌ及び２Ｒに載置される角度を図５に示す如く０°としたとき、図６に示す如く人間の耳に装着されるときの回転角度は一般的に１２．５°〜３２．５°である。
【００２５】
本例においては、図１、図７、図８に示す如き左用ハウジング１Ｌ及び右用ハウジング１Ｒの夫々の支持腕５Ｌ及び５Ｒの回動軸６Ｌ及び６Ｒの近傍の上側にこのハウジング１Ｌ、１Ｒの外周面から略垂直方向に頭部２０ａが当接する押圧片２０を、このハウジング１Ｌ、１Ｒの外周面から略垂直方向に突出する如く設ける。
【００２６】
この場合この押圧片２０を図８に示す如く圧縮バネ（コイルバネ）２１により所定圧力でこのハウジング１Ｌ、１Ｒの外周面より略垂直方向に突出する如くする。
【００２７】
また本例においては、この押圧片２０の頭部２０ａに段差部２０ｂを設け、この押圧片２０の頭部２０ａの段差部２０ｂが、図９Ａに示す如くこの支持腕５Ｌ、５Ｒに当接しているときに、このヘッドホン１の左用ハウジング１Ｌ及び右用ハウジング１Ｒを充電台２の位置決め用窪み２Ｌ及び２Ｒに載置するようにする。
【００２８】
本例においては、ヘッドホン１の一対のハウジング１Ｌ及び１Ｒが図５に示す如く略平行で０°のときはこの支持腕５Ｌ、５Ｒと押圧片２０との関係は図９Ａに示す如く、押圧片２０の頭部２０ａの段差部２０ｂがこの支持腕５Ｌ、５Ｒに当接しているときである。この図９Ａの状態ではハウジング１Ｌ、１Ｒが０°方向より回転角が小さくなる方向には回動できないようにストッパーが設けられている。
【００２９】
この、図９Ａに示す状態よりハウジング１Ｌ、１Ｒを図５の矢印方向に回動したときには、図９Ｂ及びＣの状態となる。図９Ｂはハウジング１Ｌ、１Ｒを図９Ａの状態より例えば５．５°回転した状態であり、このときは支持腕５Ｌ、５Ｒが押圧片２０の頭部２０ａの段差部２０ｂよりこの頭部２０ａの頂点に乗り上げるときの状態を示し、図９Ｃはハウジング１Ｌ、１Ｒを図９Ａの状態より３２．５°回転した状態であり、このときは支持腕５Ｌ、５Ｒが押圧片２０の頭部２０ａの頂点に当接している状態を示す。
【００３０】
本例においては、このヘッドホン１のハウジング１Ｌ、１Ｒの回転角度と反回転モーメントとの関係が図１０に示す如くなる如くする。即ちヘッドホン１のハウジング１Ｌ、１Ｒを充電台２の位置決め用窪み２Ｌ、２Ｒより図５の矢印方向に回動したときには、支持腕５Ｌ、５Ｒは押圧片２０の頭部２０ａの段差部２０ｂより頭部２０ａの頂点に乗り上げるので、例えば５．５°回動したところで反回転モーメントは最大となり、その後、支持腕５Ｌ、５Ｒに押圧片２０の頭部２０ａの頂点が当接したとき及びその後は反回転モーメントは略０となり、この押圧片２０がないときと同じになる。
【００３１】
また、このヘッドホン１のハウジング１Ｌ、１Ｒを３２．５°より図５の反矢印方向に回動したときには反回転モーメントは略０で、この支持腕５Ｌ、５Ｒがこの押圧片２０の頭部２０ａの頂点より段差部２０ｂに移行するときはこの段差部２ｂで押されることとなり、反回転モーメントは負となり、その後反回転モーメントは０となり、このヘッドホン１のハウジング１Ｌ、１Ｒの揺動は規制される。
【００３２】
本例においては、この充電台２に図１１Ａに示す如き音声信号の送信装置を設けると共に、ヘッドホン１に図１１Ｂに示す如き受信装置を設け、このヘッドホン１をワイヤレス式のヘッドホンとする。
【００３３】
また、本例においては、図１２Ｂに示す如くヘッドホン１に２次電池を内蔵し、このヘッドホン１に内蔵した２次電池をこの充電台２に設けた図１２Ａに示す如き充電回路で充電するようにする。
【００３４】
図１１Ａにおいて、３０はＤＶＤ等よりの光音声信号が入力される光音声信号入力端子を示し、この光音声信号入力端子３０よりのデジタル音声信号を音声信号の処理を行うデジタルシグナルプロセッサ（ＤＳＰ）３１に供給する。
【００３５】
また、３２はアナログ音声信号入力端子を示し、このアナログ音声信号入力端子３２よりのアナログ音声信号をアナログ信号をデジタル信号に変換するＡ−Ｄコンバータ３３を介してデジタルシグナルプロセッサ３１に供給する。
【００３６】
このデジタルシグナルプロセッサ３１の出力信号をデジタル変調器３４に供給すると共に、このデジタル変調器３４に高周波発振回路３５よりの高周波信号を供給し、このデジタル変調器３４で所定のデジタル変調を行い、このデジタル変調器３４よりの所定のデジタル変調信号を高周波増幅回路３６を介してアンテナ３７に供給し、このアンテナ３７よりデジタル変調信号を電波で無線送出する。
【００３７】
図１１Ａにおいて、３８は送信装置制御用のマイクロコンピュータを示し、このマイクロコンピュータ３８は、デジタルシグナルプロセッサ３１、デジタル変調器３４、高周波発振回路３５、高周波増幅回路３６等を制御する。
【００３８】
また、図１１Ａにおいて、３９は直流電源が供給される直流電源入力端子を示し、この直流電源入力端子３９よりの直流電源をレギュレータ回路４０に供給し、このレギュレータ回路４０より光音声信号入力端子３０、デジタルシグナルプロセッサ３１、Ａ−Ｄコンバータ３３、デジタル変調器３４、高周波発振回路３５、高周波増幅回路３６、マイクロコンピュータ３８等に直流電源を供給する。
【００３９】
本例においては、図１１Ｂに示す如き、受信装置を主にヘッドホン１の右用ハウジング１Ｒ内に収納する。この図１１Ｂにおいて、４１は受信用のアンテナを示し、このアンテナ４１よりの受信信号を高周波増幅回路４２を介してデジタル復調器４３に供給する。
【００４０】
このデジタル復調器４３で復調したデジタル音声信号をデジタル信号をアナログ信号に変換するＤ−Ａコンバータ４４に供給してアナログの音声信号に変換し、このＤ−Ａコンバータ４４の出力側に得られる音声信号を出力増幅回路４５を介して左用ハウジング１Ｌに設けられたスピーカ４６Ｌ及び右用ハウジング１Ｒに設けられたスピーカ４６Ｒに供給する如くする。
【００４１】
図１１Ｂにおいて、４７はリチウムイオン電池等の２次電池を示し、この２次電池４７よりの直流電圧をレギュレータ回路４８に供給すると共に、この２次電池４７よりの直流電圧を電源として出力増幅回路４５に供給する。またレギュレータ回路４８より、高周波増幅回路４２、デジタル復調器４３、Ｄ−Ａコンバータ４４等に直流電源を供給する。
【００４２】
本例においては、この場合、例えば２個のリチウムイオン電池等の２次電池４７を左側のハウジング１Ｌに内蔵する如くする。
【００４３】
また、本例においては、図１２に示す如く、充電台２に設けた充電回路により、ヘッドホン１に内蔵した２次電池４７をこのヘッドホン１のハウジング１Ｌ及び１Ｒをこの充電台２の位置決め用窪み２Ｌ及び２Ｒに載置したときに充電する如くする。
【００４４】
この充電台２の充電回路は図１２Ａに示す如く、直流電源入力端子３９と、レギュレータ回路４０とマイクロコンピュータ３８とで構成し、レギュレータ回路４０の正極＋を６接点の凸形状の充電用コネクタ９の第２及び第３の接点９ａ２及び９ａ３に接続し、レギュレータ回路４０の負極−を第５及び第６の接点９ａ５及び９ａ６に接続する。
【００４５】
また、このマイクロコンピュータ３８により充電回路の保護回路、急速充電等を制御するようにすると共に後述する温度センサ５０の検出信号を第１の接点９ａ１より、このマイクロコンピュータ３８に供給し、更に、第４の接点９ａ４に得られる２個の２次電池４７ａ及び４７ｂの中点電圧をマイクロコンピュータ３８に供給する。
【００４６】
またイヤホン１側においては、図１２Ｂ示す如く、例えば２個のリチウムイオン電池４７ａ及び４７ｂを直列接続した２次電池４７の正極＋を６接点の凹形状の充電用コネクタ１４の第２及び第３の接点１４ａ２及び１４ａ３に接続し、２次電池４７の負極−を第５及び第６の接点１４ａ５及び１４ａ６に接続する。
【００４７】
本例においてこの２次電池４７の温度を検出する温度センサ５０を設け、この温度センサ５０の検出温度信号を第１の接点１４ａ１に供給する。
【００４８】
また本例においては、例えば２個のリチウムイオン電池４７ａ及び４７ｂの電池毎の電圧を検出するため、２個のリチウムイオン電池４７ａ及び４７ｂの接続点の電圧を第４の接点１４ａ４に供給する。
【００４９】
本例において、凸形状の充電用コネクタ９の各接点９ａ１、９ａ２・・・９ａ６と凹形状の充電用コネクタ１４の各接点１４ａ１、１４ａ２・・・１４ａ６とが接続されたときは、充電台２の充電回路でイヤホン１に内蔵した２次電池４７を充電することができる。
【００５０】
また、本例においては凸形状の充電用コネクタ９及び凹形状の充電用コネクタ１４の接点数を６接点としているので、マイクロコンピュータ３８で各電池の電圧、２次電池４７の温度を知ることができ通常の充電の外に急速充電を行うことができると共に保護回路を作動することができる。
【００５１】
以上述べた如く、本例によれば、ヘッドホン１のハウジング１Ｌ、１Ｒを充電台２の位置決め用窪み２Ｌ、２Ｒに案内リブ８と案内溝１３とにより案内されて載置するときに、このヘッドホン１のハウジング１Ｌ、１Ｒにより押し子１０が押され、充電台２側の凸形状の充電用コネクタ９を挿抜方向に移動し、ヘッドホン１側の凹形状の充電用コネクタ１４に係合接続するようにしたので、２次電池４７を内蔵したワイヤレス式のヘッドホン１のハウジング１Ｌ、１Ｒを専用の充電台２の所定位置に容易に載置できると共に充電台２側の凸形状の充電用コネクタ９の複数の接点９ａ１、９ａ２・・・９ａ６とヘッドホン１側の凹形状の充電用コネクタ１４の複数の接点１４ａ１、１４ａ２・・・１４ａ６とが確実安定に接続できる。
【００５２】
更に本例においては押圧片２０の頭部２０ａに段差部２０ｂを設け、この押圧片２０の頭部２０ａの段差部２０ｂが支持腕５Ｌ、５Ｒに当接しているときに、このヘッドホン１の左用ハウジング１Ｌ及び右用ハウジング１Ｒを充電台２の位置決め用窪み２Ｌ及び２Ｒに載置するようにしたので、このときはハウジング１Ｌ、１Ｒは規制され揺動がないので、この載置が容易となる。
【００５３】
尚、上述例では、押し子１０と凸形状の充電用コネクタ９とをシーソー機構構成としたが、この代わりに図１３に示す如く押し子１０と凸形状の充電用コネクタ９との間に歯車機構５１を設け、押し子１０が下がったときに凸形状の充電用コネクタ９が上に上がるようにしても良い。この場合も上述例同様の作用効果が得られることは容易に理解できよう。
【００５４】
また、上述例ではスタビライザとして押圧片２０を圧縮バネ２１により所定圧力でハウジング１Ｌ、１Ｒの外周面より略垂直方向に突出するように述べたが、この代わりに図１４に示す如く、押圧片２０をプラスチック等の合成樹脂５２による弾性を使用して略垂直方向に所定圧力でハウジング１Ｌ、１Ｒの外周面に突出するようにしても良い。また図１５に示す如く、押圧片２０を一端を支点５３としたコイルバネ５４により回動する如く設けたアーム５５の他端に当接し、このアーム５５の回動力により略垂直方向に所定圧力でハウジング１Ｌ、１Ｒの外周面に突出するようにしても良い。この図１４、図１５例においても上述例同様の作用効果が得られることは勿論である。
【００５５】
尚、本発明は上述例に限ることなく本発明の要旨逸脱することなく、その他種々の構成が採り得ることは勿論である。
【図面の簡単な説明】
【００５６】
【図１】本発明ヘッドホン載置装置を実施するための最良の形態の例を示し、本発明ヘッドホンの例と載置台とを分離した状態を示す斜視図である。
【図２】本例の要部の例を示し、Ａ図は図１のＡ−Ａ線断面図、Ｂ図は図１のＢ−Ｂ線断面図である。
【図３】本例の要部の例を示し、Ａ図は図１のＡ−Ａ線断面図、Ｂ図は図１のＢ−Ｂ線断面図である。
【図４】本発明ヘッドホン載置装置を実施するための最良の形態の例を示し、本例ヘッドホンを充電台に載置した状態を示す斜視図である。
【図５】本発明の要部の説明に供する線図である。
【図６】ヘッドホンの例を装着した状態を示す正面図である。
【図７】本発明ヘッドホンの要部の例を示す正面図である。
【図８】図７のＡ−Ａ線断面図である。
【図９】本発明の要部の動作説明に供する図７のＡ−Ａ線断面図である。
【図１０】本発明の説明に供する線図である。
【図１１】ワイヤレスヘッドホンの例の送信装置及び受信装置の例のブロック図である。
【図１２】本発明充電装置の充電回路の例を示すブロック図である。
【図１３】本例の要部の他の例を示す断面図である。
【図１４】本発明の要部の他の例を示す断面図である。
【図１５】本発明の要部の他の例を示す断面図である。
【符号の説明】
【００５７】
１・・・ヘッドホン、１Ｌ、１Ｒ・・・ハウジング、２・・・充電台、３・・・パッド、４・・・ヘッドバンド、５Ｌ、５Ｒ・・・支持腕、６Ｌ、６Ｒ・・・支点、８・・・案内リブ、９・・・凸形状の充電用コネクタ、１０・・・押し子、１１・・・シーソー板、１２，２１・・・コイルバネ、１３・・・案内溝、１４・・・凹形状の充電用コネクタ、２０・・・押圧片、２０ａ・・・頭部、２０ｂ・・・段差部、３０・・・光音声信号入力端子、３１・・・デジタルシグナルプロセッサ、３２・・・アナログ音声信号入力端子、３４・・・デジタル変調器、３７、４１・・・アンテナ、３８・・・マイクロコンピュータ、３９・・・直流電源入力端子、４０、４８・・・レギュレータ回路、４３・・・デジタル復調器、４６Ｌ、４６Ｒ・・・スピーカ、４７・・・２次電池、４７ａ、４７ｂ・・・リチウムイオン電池、５０・・・温度センサ
【図１】
0004470845.tif 000002
【図２】
0004470845.tif 000003
【図３】
0004470845.tif 000004
【図４】
0004470845.tif 000005
【図５】
0004470845.tif 000006
【図６】
0004470845.tif 000007
【図７】
0004470845.tif 000008
【図８】
0004470845.tif 000009
【図９】
0004470845.tif 000010
【図１０】
0004470845.tif 000011
【図１１】
0004470845.tif 000012
【図１２】
0004470845.tif 000013
【図１３】
0004470845.tif 000014
【図１４】
0004470845.tif 000015
【図１５】
0004470845.tif 000016